(57)【要約】      （修正有）【課題】制御盤に敷設された三相ケーブルの片側に発信器を、他の端に受信器を接続しケーブルが正しく接続されているかを判定する配線チェッカーの提供。【解決手段】点滅コードの異なる回路２個を設けた発信器１とＬＥＤ２個を設けた受信器３の構成においてＬＥＤの点滅コードで３線を識別する。点滅コードの異なる回路２個を設けた発信器１と赤、緑、青を１個の中に設けたフルカラーＬＥＤ３個と点滅コードに応じてＬＥＤを赤、白、青の３色に発光させる電子処理回路を設けた受信器３の構成においてケーブル２の接続によって赤、白、青の発光順を変更し３線の接続状態を識別する。【選択図】図１
2007166882.tif 000002
【特許請求の範囲】
【請求項１】
図１に於いて、点滅コードの異なる２個の電子回路を設けた発信器１と、ＬＥＤ２個を設けた受信器３の構成において、接続されたケーブル２を介して送信した点滅コードの種類で接続状態を識別する配線チェッカー。
【請求項２】
図６に於いて、点滅コードの異なる２個の電子回路を具備したマイクロコントローラーＭＣＵ１を設けた発信器１と、赤、緑、青を１個の中に設けたフルカラーＬＥＤ３個および点滅コードに応じて３個のＬＥＤを赤、白、青に発光させる電子処理回路を設けた受信器３の構成において、発信器１と受信器３をケーブル２の３線で接続し接続順によって３色の発光順をかえ、Ｒを介したＬＥＤは赤に、Ｓを介したＬＥＤは白に、Ｔを介したＬＥＤは青に発光し３線の接続状態を視覚的に識別する配線チェッカー。
【発明の詳細な説明】
【技術分野】
【０００１】  本発明は制御盤に敷設された三相ケーブルの３線が正しく配線されているか識別する装置に関するものである。
【背景技術】
【０００２】  図２のように電池ＢＡＴとブザーＢＺを使い、導通を確認していた。この場合折り返し電線が必要になり、電線が長い場合や、障壁があれば使えなかった。
【発明の開示】
【発明が解決しようとする課題】
【０００３】  折り返し電線を使うことなく３線を同時に識別できるようにすることである。
【課題を解決するための手段】
【０００４】  電線の片側に点滅コードの異なる二つの発信器を設け３線の内２線にそれぞれの信号を接続し、他の１線を共通線とする。電線の他の端に受信器を接続し発信器から送られた信号を処理しＬＥＤの発光の違いで３線を識別する。【０００５】  識別の手段の一つは点滅コードでそのまま受信器のＬＥＤを発光させるもので点滅の早さによって早い、遅い、共通線の三態、早い、共通線、不点灯の三態、遅い、共通線、不点灯の三態の点滅コードで３線の接続状態を認識する。【０００６】  識別の手段の二つ目は点滅コードを受信器に設けたマイクロコントローラーで処理してＬＥＤの発光色を決定し、三相ケーブルのＲは赤、Ｓは白、Ｔは青で表示する。
【発明の効果】
【０００７】  本発明は誤配線によって発生する事故を未然に防止するときに効果がある。【０００８】  構成が簡単であり、小型で携行が容易であるから常時携帯し完工検査を成しえるものである。実施例２の配線チェッカーはＬＥＤで赤白青を発光することでＲＳＴを直感的に捉えることができる。
【発明の実施するための最良の形態】
【実施例１】
【０００９】    本発明の構成例を図１に示す。図中１は発信器でマイクロコントローラーＭＣＵ、電池ＢＡＴ、抵抗Ｒで構成している。２は検査対象のケーブルでＲ、Ｓ、Ｔの３本ある。３は受信器で発光ダイオードＬＥＤ１，ＬＥＤ２で図のように３端子構成となっている。【００１０】  発信器１のマイクロコントローラーＭＣＵの端子０からは図４に示した１秒間に１回の点滅信号を発し、端子１からは一秒間に４回の点滅信号を発している。【００１１】  発信器１のマイクロコントローラーＭＣＵの端子０は抵抗Ｒ１を介してケーブル２の端子Ｒへ、端子１は端子Ｓへ、共通端子Ｃは端子Ｔへ接続する。【００１２】  この時ケーブル２の端子Ｒに接続したＬＥＤ１は遅い点滅、端子Ｓに接続したＬＥＤ２は早い点滅となり、これが正しい接続である。【００１３】  図４のように誤接続した場合は受信器側の端子Ｒに接続したＬＥＤ１は早い点滅、ＬＥＤ２は遅い点滅となり誤配線が判明する。【００１４】  図５のように誤接続した場合は受信器側の端子Ｒに接続したＬＥＤ１は早い点滅、ＬＥＤ２は不点灯となる。ＬＥＤの極性からケーブルの端子Ｔに接続したＬＥＤ２は点灯しない。【００１５】  以上のことから遅い点滅のＬＥＤはケーブル２のＲに、早い点滅はＳに、不点灯はＴに接続されていることが判明する。
【実施例２】
【００１６】  図６が実施例２の構成である。発信器１は実施例１と構成は同じであるが点滅速度を早くしてある。マイクロコントローラーＭＣＵ１の端子０は一秒間に４回の点滅、端子１は一秒間に１６回の点滅となっている。【００１７】  受信器３の表示に赤、緑、青を１個のＬＥＤに一体化したフルカラーＬＥＤを３個使い、ケーブルのＲＳＴに合わせて慣用のＲは赤、Ｓは白、Ｔは青の３色を発光している。赤と青はそれぞれ単色発光、白は赤、緑、青の３色を同時発光し発色している。【００１８】  マイクロコントローラーＭＣＵ２の端子１は入力１、端子２は入力２、端子３は共通端子である。【００１９】  正しい接続は、図のように発信器１の端子０はケーブル２のＲを介して受信器３の端子１に接続し、発信器１の端子１はケーブル２のＳを介して受信器３の端子２に接続し、発信器１の端子Ｃはケーブル２のＴを介して受信器３の端子３に接続する。【００２０】この接続に於いて、マイクロコントローラーＭＣＵ２で入力信号を処理しＬＥＤ１は赤、ＬＥＤ２は白、ＬＥＤ３は青に発光する。【００２１】  マイクロコントローラーＭＣＵ２の端子１の入力を処理しＬＥＤ１の色を決め、端子２の信号を処理してＬＥＤ２の色を決め、端子３の入力を処理してＬＥＤ３の色を決めて発光している。【００２２】  マイクロコントローラーＭＣＵ２で入力信号の時間当たりの点滅回数を計数して３回以上ならＬＥＤを白、０回以上なら赤、０回は青に発光する。この中の二つが決定すれば他の一つの入力の無い端子はマイクロコントローラーＭＣＵで演算し判明する。【００２３】  赤を１、白を２、青を３とすれば赤１と白２が分かれば残りは６マイナス１プラス２イコール３で青となり入力の変化に応じ３個のＬＥＤの発色を制御している。【００２４】  ケーブルの接続状態を、３色ＬＥＤを使うことで、周知のＲＳＴは赤白青で表示でき一目で識別できる。
【産業上の利用可能性】
【００２５】    配線工事完了検査において通電する前の誤配線のチェックは必須である。本発明はこのような場合に使用し誤配線による事故の発生を未然に防止することができる。
【図面の簡単な説明】
【００２６】
【図１】この発明の実施例１を示す構成図である。
【図２】従来技術を示す図である。
【図３】発信器１から発信する点滅信号を示す図である。
【図４】実施例１の誤配線の一例の説明図である。
【図５】実施例１の誤配線の二例目の説明図である。
【図６】この発明の実施例２を示す図である。
【符号の説明】
【００２６】  １        発信器
２        検査ケーブル
３        受信器
ＭＣＵ    マイクロコントローラー
ＢＡＴ    電池
Ｒ１      抵抗
Ｒ２      抵抗
ＬＥＤ１  発光ダイオード１
ＬＥＤ２  発光ダイオード２
ＬＥＤ３  発光ダイオード３
ＢＺ      ブザー
【図１】
2007166882.tif 000003
【図２】
2007166882.tif 000004
【図３】
2007166882.tif 000005
【図４】
2007166882.tif 000006
【図５】
2007166882.tif 000007
【図６】
2007166882.tif 000008